(57)【要約】【課題】反りを生じた外枠でも、フラットな覗き窓プレートを形成できるビルトインコンロを提供する。【解決手段】ビルトインコンロは、グリル庫の覗き用開口を塞ぐ覗き窓プレート４０を備える。この覗き窓プレート４０は、ガラス板６０、該ガラス板６０を挟んで固定される外枠４１，４２、取っ手４３から構成される。そして、覗き穴４５の内周縁部に、ガラス板６０が配置される側に延びる内周片４６を設け、該内周片４６の先端部のうち、覗き穴４５の４つのコーナ部４５ａに相対しない部分に、ガラス板６０を押さえるための押さえ片４７を設ける。そして、外枠４１，４２を互いに加締めると、各押さえ片４７は、ガラス板６０に圧接されてフラットになるので、該押さえ片４７に相対する外枠４１，４２の部分がフラットに矯正される。よって、覗き窓プレート４０をフラットに形成できる。【選択図】図７
2007113853.tif 000002
【特許請求の範囲】
【請求項１】
被調理物を収納するグリル庫と、
当該グリル庫に収納された被調理物を加熱するバーナと、
前記グリル庫に形成され、前記グリル庫内を覗くためのグリル開口と、
当該グリル開口を塞ぐと共に脱着可能な覗き窓プレートと
を備え、
前記覗き窓プレートは、
ガラス板と、
当該ガラス板を中央に挟んで互いに固定される一対の外枠と
から構成され、
前記外枠には、
略長方形状の覗き穴と、
当該覗き穴の内縁に沿って設けられ、前記ガラス板が配置される側に突設された内周片と、
当該内周片の先端部から、前記覗き穴の内側に延設され、前記ガラス板の何れかの面に当接して前記ガラス板を押さえる押さえ片と
が設けられ、
前記押さえ片のうち、前記覗き穴の角部に相対する部分が除かれていることを特徴とするビルトインコンロ。
【請求項２】
器体の上面に、ガラスを素材としたガラストッププレートを備え、
当該ガラストッププレート上には、透過視不能な印刷が施されるとともに、その一部に非印刷領域が設けられ、
当該非印刷領域の下方には、前記グリル庫が配置され、
前記非印刷領域に対向して、前記グリル開口が配置され、
前記非印刷領域と前記グリル開口との間に、前覗き窓プレートが脱着可能に設置されたことを特徴とする請求項１に記載のビルトインコンロ。
【発明の詳細な説明】
【技術分野】
【０００１】
本発明は、ビルトインコンロに関し、詳しくは、被調理物をグリル庫内で加熱調理できるグリルを備え、トッププレート上からグリル庫内の様子を確認できるビルトインコンロに関する。
【背景技術】
【０００２】
従来より、被調理物をグリル庫内に収納して加熱調理できるグリルを備え、ガラスを素材とするガラストッププレート上からグリル庫内の様子を確認できるビルトインコンロが知られている（例えば、特許文献１参照）。このビルトインコンロでは、グリル庫の上部にグリル開口が形成され、該グリル開口の上部には、略長方形状の覗き窓を備えた覗き窓プレートが着脱可能に設置されている。一方、ガラストッププレート上には、透過視不能な印刷が施され、その印刷の一部には、非印刷領域が設けられている。そして、その非印刷領域の下方に、グリル庫のグリル開口が対向して配置されている。これにより、使用者は、グリル庫内から焼き網を外部に引き出さなくても、ガラストッププレート上の非印刷領域から、覗き窓プレートの覗き穴を介し、グリル庫内の被調理物の焼け具合等を確認することができる。また、加熱調理中に、グリル庫内の焼き網を外部に引き出す必要がないので、グリル庫内の温度が所定温度に保持され、被調理物を素早く加熱調理することができる。
【０００３】
ところで、グリル庫のグリル開口は、上記したように、覗き窓プレートによって塞がれている。これにより、グリル庫内を対流するバーナの燃焼排気がグリル開口から外部に漏れないため、グリル庫内の温度が変動するのを防止できる。そして、覗き窓プレートは、このグリル開口を隙間なく塞ぐためにフラット（平ら）に形成されるのが好ましい。例えば、図１１に示す従来の覗き窓プレート４００は、一枚のガラス板６００と、金属製の一対の外枠４１０，４２０と、取っ手４３０とで構成されている。
【０００４】
そして、一対の外枠４１０，４２０には、平面視長方形状の覗き穴４５０が各々設けられている。さらに、外枠４１０，４２０の覗き穴４５０の内周縁部には、ガラス板６００が配置される側に向かって延設された内周片４６０が設けられ、該内周片４６０の先端部には、覗き穴４５０の内側に向かって所定幅延設され、ガラス板６００の面を押さえて固定するための押さえ片４７０が設けられている。なお、外枠４１０，４２０はプレス加工によって成形されている。
【０００５】
そして、上記構造からなる一対の外枠４１０，４２０の間に、ガラス板６００が挟まれ、外枠４１０，４２０の外側端部における複数の所定位置が加締められる。さらに、加締めによって凹状に形成された加締め部４９０は、リベット７００で強固に固定される。これにより、ガラス板６００の両面に、外枠４１０，４２０の個々の押さえ片４７０が当接して圧接されるので、ガラス板６００が所定位置に固定されると共に、一枚の覗き窓プレート４００が構成される。
【特許文献１】特開２００５−１１１０８８号公報
【発明の開示】
【発明が解決しようとする課題】
【０００６】
しかしながら、図１１に示す従来の覗き窓プレート４００の外枠４１０，４２０は、プレス加工されるため、僅かながらに反りを生じることがあった。そして、その反り形状を有する外枠４１０，４２０の中央にガラス板６００を挟んで、覗き穴４５０の各角部近傍の位置で加締めると、まず、押さえ片４７０のうち、覗き穴４５０の各角部に相対する折れ曲がり部分がガラス板６００の面に圧接される。ここで、この押さえ片４７０の折れ曲がり部分は、それ以外のストレート（直線）部分に比べて金属剛性が高く、変形しにくい性質を有する。そのため、押さえ片４７０のうち４カ所の折れ曲がり部分が、ガラス板６００の面に当接した状態でさらに加締められると、４カ所の折れ曲がり部分が、ガラス板６００の面に沿って変形しない。これにより、押さえ片４７０において、一対の折れ曲がり部分に挟まれたストレート部分が両側から押し上げられて歪んでしまい、外枠４１０，４２０のストレートな外側端部も歪んでしまうことがあった。したがって、覗き窓プレート４００全体をフラット形状にできないので、グリル開口を完全に塞ぐことができず、グリル庫内の燃焼排気が、グリル開口と覗き窓プレート４００との隙間から外部に漏れてしまい、グリル庫内の温度が安定しないという問題点があった。
【０００７】
本発明は、上記課題を解決するためになされたものであり、反りを生じた外枠でも、フラットな覗き窓プレートを形成できるビルトインコンロを提供することを目的とする。
【課題を解決するための手段】
【０００８】
上記目的を達成するために、請求項１に係る発明のビルトインコンロによれば、被調理物を収納するグリル庫と、当該グリル庫に収納された被調理物を加熱するバーナと、前記グリル庫に形成され、前記グリル庫内を覗くためのグリル開口と、当該グリル開口を塞ぐと共に脱着可能な覗き窓プレートとを備え、前記覗き窓プレートは、ガラス板と、当該ガラス板を中央に挟んで互いに固定される一対の外枠とから構成され、前記外枠には、略長方形状の覗き穴と、当該覗き穴の内縁に沿って設けられ、前記ガラス板が配置される側に突設された内周片と、当該内周片の先端部から、前記覗き穴の内側に延設され、前記ガラス板の何れかの面に当接して前記ガラス板を押さえる押さえ片とが設けられ、前記押さえ片のうち、前記覗き穴の角部に相対する部分が除かれていることを特徴とする。
【０００９】
また、請求項２に係る発明のビルトインコンロによれば、請求項１に記載の発明の構成に加え、器体の上面に、ガラスを素材としたガラストッププレートを備え、当該ガラストッププレート上には、透過視不能な印刷が施されるとともに、その一部に非印刷領域が設けられ、当該非印刷領域の下方には、前記グリル庫が配置され、前記非印刷領域に対向して、前記グリル開口が配置され、前記非印刷領域と前記グリル開口との間に、前覗き窓プレートが脱着可能に設置されたことを特徴とする。
【発明の効果】
【００１０】
請求項１に係る発明のビルトインコンロでは、グリル開口からグリル庫内の様子を確認できる。さらに、グリル開口は、覗き窓プレートによって塞がれているので、グリル庫内を対流するバーナの燃焼排気がグリル開口から外部に漏れるのを防止できる。さらに、この覗き窓プレートでは、一対の外枠の中央にガラス板が挟まれて互いに固定されると、押さえ片がガラス板の何れかの面に当接するので、ガラス板を強固に固定することができる。そして、この押さえ片のうち、覗き穴の角部に相対する部分は除かれているので、剛性の高い折れ曲がった押さえ片は取り除かれている。これにより、例えば、一対の外枠のうち、少なくとも１つの外枠が反り形状を有している場合、ガラス板を中央に挟んで互いに固定すると、外枠における覗き穴の角部に相対する部分では、押さえ片は除かれているので、ガラス板の面に押さえ片が当接しない。一方、覗き穴の角部に相対しないストレートな部分に残った個々の押さえ片は、そのままの形状でガラス板の何れかの面に当接し、ガラス板の面に沿って圧接されてフラットになる。これにより、外枠に歪みを生じないので、覗き窓プレート全体をフラットにすることができる。そして、フラットに形成された覗き窓プレートを用いて、グリル開口を確実に塞ぐことができるので、グリル庫内の温度を安定して保持できる。また、覗き窓プレートは、脱着可能であるので、覗き窓プレートを外して洗浄することができる。これにより、覗き穴に対向するガラス板の面に付着した脂汚れ等を洗い落とすことができるので、グリル庫内を常に視界良好に確認することができる。
【００１１】
また、請求項２に係る発明のビルトインコンロでは、請求項１に記載の発明の効果に加え、ガラストッププレート上の非印刷領域に対向して、グリル開口が配置されているので、非印刷領域からグリル庫内の様子を確認できる。これにより、加熱調理中に、グリル庫内から被調理物を取り出す必要がないので、グリル庫内の温度が下がらず、被調理物を素早く調理することができる。また、非印刷領域とグリル開口との間に、覗き窓プレートが設けられているので、グリル開口を塞いで、グリル庫内の温度が低下するのを防ぎつつ、非印刷領域、覗き窓プレート及びグリル開口を介すことによって、グリル庫内の様子を確認することができる。
【発明を実施するための最良の形態】
【００１２】
以下、本発明の一実施の形態であるビルトインコンロ１について、図面に基づいて説明する。図１は、ビルトインコンロ１の全体斜視図（覗き窓プレート４０を装着した状態）であり、図２は、ビルトインコンロ１の全体斜視図（覗き窓プレート４０を引き出した状態）であり、図３は、ビルトインコンロ１の側面から見た断面図（シャッター７１閉状態）であり、図４は、ビルトインコンロ１の側面から見た断面図（シャッター７１開状態）であり、図５は、ビルトインコンロ１の正面から見た断面図であり、図６は、覗き窓組立３４の分解斜視図であり、図７は、覗き窓プレート４０の斜視図であり、図８は、覗き窓プレート４０の平面図であり、図９は、図８に示すＡ−Ａ線矢視方向断面図であり、図１０は、覗き窓プレート４０の分解斜視図（取っ手４３は省略）である。
【００１３】
なお、以下説明において、図３及び図４の左側をビルトインコンロ１の前側、右側をビルトインコンロ１の後ろ側、紙面手前側をビルトインコンロ１の右側、紙面奥行き側をビルトインコンロ１の左側とする。さらに、図５の右側をビルトインコンロ１の右側、左側をビルトインコンロ１の左側とする。また、図７の左斜め下側を覗き窓プレート４０の前側、右斜め上側を覗き窓プレート４０の後ろ側とし、図１０の向きもこれにならうものとする。さらに、図８の左側を覗き窓プレート４０の前側とし、右側を覗き窓プレート４０の後ろ側とし、上側を覗き窓プレート４０の左側とし、下側を覗き窓プレート４０の右側とする。
【００１４】
本実施形態であるビルトインコンロ１は、図３に示すように、トッププレート１０の非印刷領域９０から、グリル庫１２に収納された被調理物Ｆの焼け具合等を確認できるものである。そして、そのグリル庫１２のグリル天板３０に形成された覗き用開口３０ａ（図５参照）を塞ぐための覗き窓プレート４０をフラットに形成するため、図７に示すように、外枠４１，４２の各覗き穴４５のコーナ部４５ａに、ガラス板６０を押さえる従来の押さえ片を設けず、コーナ部４５ａ以外のストレートな部分にだけ短冊状の押さえ片４７を設けた点に本発明の特徴を有するものである。
【００１５】
はじめに、ビルトインコンロ１の全体構成について概略的に説明する。図１に示すように、ビルトインコンロ１は略直方体状の器具本体を備え、キッチンユニットのカウンタートップ２に形成された略四角形状の上面開口に、その器具本体が落とし込まれ、該器具本体の上端に形成された上端フランジ（図示外）が、カウンタートップ２に引掛けられて係止されることによって、キッチンカウンター３に組込まれている。
【００１６】
次に、ビルトインコンロ１の天面構造について説明する。図１，図２に示すように、ビルトインコンロ１の天面の左右両側には、コンロバーナ７４ａ，７４ｂが各々設けられ、該コンロバーナ７４ａ，７４ｂの中央後方側には、とろ火用のコンロバーナ７４ｃが設けられている。さらに、コンロバーナ７４ｃの後方には、グリル排気口７４ｄ（図３参照）が設けられ、該グリル排気口７４ｄには、複数の排気穴を有する安全カバー５１が覆設されている。そして、これら各種コンロバーナが配設されたビルトインコンロ１の天面には、前記コンロバーナ７４ａ，７４ｂ，７４ｃ及びグリル排気口７４ｄがそれぞれ露出するように開口されたトッププレート１０が設けられている。さらに、そのトッププレート１０の上面には、前記コンロバーナ７４ａ，７４ｂ，７４ｃをそれぞれ囲むようにして、ゴトク７５ａ，７５ｂ，７５ｃが各々設けられている。
【００１７】
ここで、トッププレート１０について説明する。図１に示すように、トッププレート１０は、一枚の透過視性のガラスで形成され、上面および下面に透過視不能な印刷１００が施されている。そして、このトッププレート１０において、コンロバーナ７４ａ，７４ｂの間に、印刷１００を施さない非印刷領域９０が設けられている。なお、この非印刷領域９０は平面視長方形状であり、後述するグリル天板３０上に形成された覗き用開口３０ａ（図５参照）の上方に形成されている。即ち、このトッププレート１０は、非印刷領域９０においてはガラスの有する透過視性が保たれる一方、非印刷領域９０以外の印刷１００領域においては非透過視性が備えられる。これにより、非印刷領域９０においては、トッププレート１０を通して下方を視認でき、非印刷領域９０以外の印刷１００領域ではトッププレート１０の下方を視認できないようになっている。
【００１８】
次に、ビルトインコンロ１の正面（前面）構造について説明する。図１，図２に示すように、ビルトインコンロ１の使用者に対向する正面中央には、器具本体内に組み込まれたグリル１３の取っ手６２が前方に突出して設けられている。なお、後述するが、この取っ手６２は、後述するグリル庫１２内から受皿２４及び焼き網２２（図３参照）を手前に引き出すためのものである。また、その取っ手６２の上方には、正面視横長の長方形状のプレート用開口６１（図２参照）が設けられ、該プレート用開口６１には、本発明の特徴である覗き窓プレート４０が引き出し可能に挿入されている。さらに、このビルトインコンロ１の正面左側には点火ボタン７１ａ，７１ｂが設けられ、正面右側には点火ボタン７１ｃが設けられている。そして、これら点火ボタン７１ａ，７１ｂ，７１ｃを各々操作することによって、コンロバーナ７４ａ，７４ｂ，７４ｃをそれぞれ点火することができる。
【００１９】
また、点火ボタン７１ｃの右隣には、グリル１３の後述するグリル庫１２内に設けられた一対のグリルバーナ２０（図３，図５参照）を点火するための操作ボタン１３ａが設けられている。さらに、その操作ボタン１３ａの右隣には、上下に長いレバー開口８０が設けられ、該レバー開口８０には、つまみ７８が前方に突出して設けられている。なお、後述するが、このつまみ７８は、レバー開口８０に沿って回動可能となっており、グリル庫１２（図５参照）と覗き窓プレート４０との間を隔離するシャッター７１（図３参照）を開くためのものである。
【００２０】
次に、ビルトインコンロ１の内部構造について説明する。図３，図４に示すように、トッププレート１０の下方であって、コンロバーナ７４ａ，７４ｂ（図１参照）間における器具本体の中心部には、魚等の被調理物Ｆを焼くためのグリル１３が設けられている。このグリル１３は片面焼きタイプのグリルであり、被調理物Ｆを加熱調理するグリル庫１２を備えている。さらに、このグリル庫１２には、上段左右側面に設けられ、燃料ガスを燃焼させて被調理物Ｆを加熱するためのグリルバーナ２０と、略中段に設けられ、被調理物Ｆを載せるための焼き網２２と、底部に設けられ、焼き網２２を載せたまま手前にスライドさせて引き出すことができる受皿２４とが設けられている。そして、グリル庫１２の正面中央には、受皿２４と一体的に固定され、受皿２４を手前に引き出すための取っ手６２が設けられ、ビルトインコンロ１の前方に突出している。よって、この取っ手６２を手前に引き出すと、取っ手６２に固定された受皿２４がグリル庫１２の底面をスライドし、受皿２４に載置された焼き網２２が同時に引き出されるようになっている。
【００２１】
なお、グリルバーナ２０は、多孔質セラミックスの平面プレートに多数の小炎口を貫通させた燃焼面をやや斜め上方に向けて備えている。そして、燃焼に必要な空気の殆どを一次空気として吸入する全一次空気式のバーナである。また、図示しないが、このグリルバーナ２０には、点火電極（イグナイタＩＧ）、および炎感知素子（熱電対ＴＣ）が臨んで設けられている。
【００２２】
一方、グリル庫１２の後方側には、仕切壁５２を介して排気室５０が設けられている。そして、その仕切壁５２には、グリル庫１２と排気室５０とが互いに連通する連通口５４が、焼き網２２よりも下方に設けられている。よって、グリルバーナ２０から発生した燃焼排気は、一旦グリル庫１２内に充満した後、連通口５４から排気室５０に流れ、グリル排気口７４ｄを介して、安全カバー５１から外部に排出されるようになっている。
【００２３】
また、グリル庫１２の上部には、グリル天板３０が設けられている。このグリル天板３０には、図５，図６に示すように、中央に谷部、その両側に山部が設けられ、グリル庫１２の奥行き方向に向かって形成されている。これにより、グリルバーナ２０の燃焼排気は、左右一対のグリルバーナ２０から、山部の斜面に沿って上昇した後、谷部の斜面に沿ってグリル庫１２中央に向かって下降し、この熱気対流によって被調理物Ｆを加熱した後、連通口５４から排気室５０、グリル排気口７４ｄを経由して、安全カバー５１から外部に排出される。よって、グリル天板３０は、被調理物Ｆをムラなく均一に加熱する最も適した構造となっている。
【００２４】
さらに、グリル天板３０の手前側中央には、図５，図６に示すように、グリル庫１２の内部を上から覗くことができる覗き用開口３０ａが形成されている。この覗き用開口３０ａは、上述したトッププレート１０上の非印刷領域９０よりもひと回り大きい長方形状に形成され、非印刷領域９０の下方に設けられている。そして、この覗き用開口３０ａと非印刷領域９０との間には、覗き窓組立３４が設置されている。この覗き窓組立３４は、枠体下部３２と、覗き窓プレート４０と、枠体上部３３とから構成されている。なお、この覗き窓組立３４の個々の構造については後述する。また、図５，図６に示す覗き用開口３０ａが、「グリル開口」に相当する。
【００２５】
また、覗き窓プレート４０の下方には、図３，図４に示すように、被調理物Ｆからの脂飛散汚れを防止するためのシャッター７１が設けられ、該シャッター７１によって、グリル庫１２と覗き窓プレート４０との間が隔離されている。そして、このシャッター７１は、プレスされた同一形状の６枚の分割板７３により形成されている。
【００２６】
ここで、シャッター７１の開閉構造について概略的に説明する。シャッター７１を構成する個々の分割板７３は、図５に示すように、各々中央に向けて下向きの傾斜面を左右に形成した断面略Ｖ字形状に形成されている。そして、個々の分割板７３の右端部にはリンク棒７４が貫通し、左端部には支え棒７６が貫通してそれぞれ固定されている。また、リンク棒７４は、略Ｌ字型に形成され、後述する枠体下部３２の側面に設けられた孔３２ｂ（図６参照）と、グリル天板３０上にスポット溶接されたＬ字型の軸支え（図示外）に設けられた孔と、シャッター７１の右側に配置され、シャッター７１の前後方向に向かって延設されたレバー７７に設けられた孔（図示外）とにそれぞれ貫通して、支持されている。
【００２７】
そして、レバー７７は一枚の長方形状のステンレス板で形成され、図３に示すように、グリル庫１２の前面側の先端部には、Ｌ型アーム７９の一端部が連結されている。このＬ型アーム７９の折れ曲がり部７９ａは、グリル庫１２の左側方に起立する支え部（図示外）を中心に回動可能に支持されている。一方、Ｌ型アーム７９の他端部は、ビルトインコンロ１の正面に形成されたレバー開口８０（図１参照）から突き出るとともに、つまみ７８が装着されている。また、前記支え部の上部には、Ｌ型アーム７９の他端部を、グリル庫１２の奥方向へ付勢する引っ張りバネ８５が設けられている。
【００２８】
次に、シャッター７１の開閉動作について説明する。上記構造において、使用者がつまみ７８に触れていない場合は、図３に示すように、Ｌ型アーム７９の他端部は、引っ張りバネ８５により器具本体の奥方向に付勢される。この場合、各分割板７３は斜め前方に倒れ込み、グリル天板３０と連なった略同一形状となるので、シャッター７１は閉じた状態となる。これにより、グリル庫１２と覗き窓プレート４０との間が隔離された状態となる。
【００２９】
一方、使用者がつまみ７８を上から下に移動させると、図４に示すように、Ｌ型アーム７９が回動するので、レバー７７、リンク棒７４（図５参照）を介すことによって、６枚の分割板７３が回動する。この場合、各分割板７３は斜めに立った状態となるため、グリル庫１２内に光がさしこみ、グリル庫１２内の奥の方まで視界良好に確認することができる。
【００３０】
次に、覗き窓組立３４について説明する。図５，図６に示すように、覗き窓組立３４は、グリル天板３０に設けられた覗き用開口３０ａと非印刷領域９０との間に設置されている。そして、図６に示すように、覗き窓組立３４は、下から順に、枠体下部３２と、覗き窓プレート４０と、枠体上部３３とから構成されている。
【００３１】
まず、枠体下部３２について説明する。図６に示すように、この枠体下部３２は上下に開口する略四角筒形状に形成され、その左右両側面には、それぞれが直径３ｍｍ程度の孔３２ｂが６箇所に互いに対向するように設けられている。なお、この孔３２ｂは、上記したように、リンク棒７４（図５参照）が貫通するための孔である。さらに、その左右両側面の下端部には、外側に向かって延設されたフランジ３２ａが各々設けられている。また、前後面の下端部は、中央に向かって下向きに傾斜するＶ字形状に形成されている。さらに、そのＶ字に形成された前面の下端部の２つの斜辺には、外側に向かって延設された一対のフランジ３２ａ，３２ａが設けられている。一方、枠体下部３２の上部には、覗き窓プレート４０の周囲を支持するための支面３２ｃが内側に曲折して形成されている。このような構成からなる枠体下部３２は、その内周壁で囲まれる領域を、グリル天板３０の覗き用開口３０ａに整合され、各フランジ３２ａにおいてグリル天板３０とスポット溶接されている。
【００３２】
次に、枠体上部３３について説明する。図６に示すように、枠体上部３３は、上下方向に開口する四角筒形状の枠部３３ｃと、該枠部３３ｃの上端が内側に曲折され、トッププレート１０（図３参照）との当接面を形成する支面３３ｄと、前記枠部３３ｃの左右の下端がＬ字状に曲折されて、覗き窓プレート４０の押さえ面を形成する一対の固定部３３ａとから構成されている。そして、支面３３ｄの中央には、長方形状の開口部３３ｂが形成されている。さらに、この開口部３３ｂは、トッププレート１０の非印刷領域９０の直下に位置している。
【００３３】
また、各固定部３３ａの略水平に延びる上面には、開口３３ｅが形成され、該開口３３ｅには、窓押さえバネ３７が設けられている。この窓押さえバネ３７は、一枚の細長のステンレス板を折り曲げて形成された板バネである。そして、この窓押さえバネ３７の一端部が、開口３３ｅの後方側の固定部３３ａの上面にネジで固定され、他端側の折り曲げ部が、開口３３ｅの下方において覗き窓プレート４０の後述するバネ受け部４８，４８（図７参照）と接触するようになっている。この窓押さえバネ３７は、バネ荷重によって覗き窓プレート４０のバネ受け部４８，４８を下向きに付勢して押さえ付けるものである。なお、この固定部３３ａの側面は、下部において枠体下部３２の側面にスポット溶接されている。
【００３４】
このような構造からなる枠体下部３２と、枠体上部３３との間にできる隙間に、覗き窓プレート４０が挿入され、枠体下部３２の開口と、覗き窓プレート４０の覗き窓４０ａと、枠体上部３３の開口とが上下方向に対向してそれぞれ配置されている。
【００３５】
次に、本発明の特徴である覗き窓プレート４０について説明する。図７，図８，図９に示すように、覗き窓プレート４０は、３層からなる一枚のプレート状に形成されている。そして、覗き窓プレート４０は、平面視長方形状のガラス板６０と、該ガラス板６０を中央に挟んでリベット加締めによって固定される一対の外枠４１，４２と、取っ手４３とから構成されている。そして、覗き窓プレート４０の中央後方寄りには、平面視略長方形状の覗き窓４０ａが設けられている。さらに、外枠４１，４２の外側端部における計６カ所の各所定位置には、加締め部４９が各々設けられ、該加締め部４９はリベット７０で強固に固定されている。
【００３６】
そして、ガラス板６０は、平面視長方形の透過視性を有する耐熱ガラスで形成されている。また、ガラス板６０の厚さは約７ｍｍ程度であるが、この厚さに限定されない。さらに、ガラス板６０の左右方向の幅長は、外枠４１，４２の左右方向の幅長とほぼ同一となっている。一方、外枠４１，４２は、耐熱性、耐食性のステンレス板をプレス加工によって折り曲げて形成されている。また、取っ手４３は、外枠４１，４２の前方側の中央に挟まれて固定され、耐熱性のプラスチックで形成されている。
【００３７】
次に、外枠４１，４２について説明する。なお、外枠４１，４２は互いに同一形状であるため、ここでは、外枠４１を中心に説明する。図１０に示すように、外枠４１は、平面視略長方形状の平板である枠本体部４１ａを備え、該枠本体部４１ａの前端部（取っ手４３が設置される側の一端部）を除く外周縁部には、ガラス板６０が配置される側に向かって折り曲げて形成されたフランジ状の外縁部４１ｂが設けられている。そして、枠本体部４１ａの後方寄りには、平面視略長方形状の覗き穴４５が設けられ、該覗き穴４５の４つのコーナ部４５ａはテーパ状にそれぞれ形成されている。また、枠本体部４１ａの表面（ガラス板６０が配置される裏面とは反対の面）において、前記覗き穴４５の左右両側には、固定部３３ａの窓押さえバネ３７に当接する台である所定厚を有する板状のバネ受け部４８，４８が溶接されている。
【００３８】
また、覗き穴４５の内周縁部には、ガラス板６０が配置される側に向かって所定幅延設された内周片４６が設けられている。さらに、この内周片４６の先端部（ガラス板６０が配置される側の一端部）であって、覗き穴４５の４つのコーナ部４５ａに相対する部分を除く４カ所のストレート部分には、覗き穴４５の内側に向かって略水平に所定幅延設された短冊状の押さえ片４７が設けられている。この押さえ片４７は、ガラス板６０の面に当接し、ガラス板６０が外枠４１，４２からズレないように押さえるためのものである。こうして、内周片４６の先端部には、４枚の押さえ片４７が互いに離間して設けられている。なお、図１０に示すコーナ部４５ａが、「角部」に相当する。
【００３９】
なお、外枠４２も、外枠４１と同様に、平面視略長方形状の平板である枠本体部４２ａを備え、該枠本体部４２ａの前端部を除く外周縁部には、ガラス板６０が配置される側に向かって折り曲げて形成されたフランジ状の外縁部４２ｂが設けられている。そして、外枠４２の枠本体部４２ａは、前記枠本体部４１ａと同じ構造であって、覗き穴４５、受け部（図示外）、内周片４６、押さえ片４７が各々設けられている。
【００４０】
次に、取っ手４３について説明する。図７，図８，図９に示すように、この取っ手４３は、外枠４１，４２の前端部とほぼ同じ長さを有する略四角柱状の取っ手本体４３ａと、該取っ手本体４３ａの後部から後方に向かって略水平に延設され、外枠４１，４２の間に挟まれて固定される平面視略長方形の平板である固定片４３ｂとから構成されている。また、取っ手本体４３ａの前面及び上面とが接する稜線の中央には、正面視半円状に削られて窪んだ把持部４３ｃが設けられている。よって、使用者は、この把持部４３ｃに指をかけることによって、取っ手４３を引き出し、覗き窓プレート４０全体をプレート用開口６１から容易にき出すことができる（図１，図２参照）。また、固定片４３ｂの左右両端部近傍には、一対の貫通孔４４（図９参照）が各々設けられている。そして、この一対の貫通孔４４は、外枠４１，４２の前端側の左右両端部で加締められる各位置に各々対向するようになっている。
【００４１】
次に、覗き窓プレート４０の組み立て方法について説明する。図１０に示すように、まず、ガラス板６０を略水平に保持し、そのガラス板６０の上側に、外枠４１を配置し、下側に外枠４２を配置する。このとき、ガラス板６０の上面には、外枠４１の裏面側が対向し、下面には、外枠４２の裏面側が対向する。そして、ガラス板６０の下面を外枠４２の覗き穴４５に対向させるとともに、ガラス板６０の幅を、外枠４２の幅に合わせる。次いで、外枠４２の左右両側の外縁部４２ｂ，４２ｂ上に、ガラス板６０の左右両端部を載置する。このとき、ガラス板６０の面は、覗き穴４５の内側に配置された４枚の押さえ片４７上に当接する。なお、外枠４２の覗き穴４５の４つのコーナ部４５ａでは、内周片４６の先端部と、ガラス板６０の下面との間に所定の隙間が形成されており、互いに当たらないようになっている。
【００４２】
一方、外枠４２の裏面の前端側に、取っ手４３の固定片４３ｂ（図７，図８，図９参照）を配置する。これに併せ、固定片４３ｂに設けられた一対の貫通孔４４（図９参照）を、外枠４１，４２の前端側の左右両端部で加締められる各位置に各々対向するように配置させる。
【００４３】
次に、図７，図８，図９に示すように、ガラス板６０と、取っ手４３の固定片４３ｂとが各々配置された外枠４２の裏面に対し、外枠４１の裏面側を対向させて貼り合わせる。このとき、外枠４１の左右両端部の外縁部４１ｂ，４１ｂ（図１０参照）を、ガラス板６０の上面の左右両端部に当接させる。これに併せ、外枠４１の覗き穴４５の内側に配置された４枚の押さえ片４７を、ガラス板６０の上面に各々当接させる。なお、外枠４１の覗き穴４５における各コーナ部４５ａでは、内周片４６の先端部と、ガラス板６０の上面との間には所定の隙間が形成されており、互いに当たらないようになっている。こうして、一対の外枠４１，４２の中央にガラス板６０が挟まれた状態となる。
【００４４】
次に、外枠４１，４２における各覗き穴４５の４つの各コーナ部４５ａ近傍と、枠本体部４１ａ，４２ａの前端側の左右両端部近傍との計６カ所を加締める。そして、外枠４１，４２が反っている場合、外枠４１，４２は、ガラス板６０の面に沿って押し曲げられる。ここで、外枠４１，４２において、覗き穴４５の各コーナ部４５ａには、押さえ片４７が設けられていない。さらに、内周片４６の先端部もガラス板６０に当接していないので、この４つのコーナ部４５ａにおいて、ガラス板６０の面には、外枠４１，４２の何れの部分も当接しない。即ち、覗き穴４５の各コーナ部４５ａにおいて、従来のような剛性の高い折れ曲がった押さえ片の部分（図１１に示す押さえ片４７０を参照）が除かれているので、４枚の押さえ片４７が押し上げられて歪むことがない。よって、これら４枚の押さえ片４７は、ガラス板６０の平面に圧接されてフラットに矯正される。さらに、各押さえ片４７に相対する外枠４１，４２のストレート部分の外側端部もフラットに矯正される。これにより、外枠４１，４２全体の反り形状が矯正され、覗き窓プレート４０をフラットに形成することができる。
【００４５】
そして、最後に、覗き窓プレート４０において、加締めによって凹状に形成された加締め部４９を、リベット７０でそれぞれ固定する。こうして、ガラス板６０の両面に、外枠４１，４２の個々の押さえ片４７が密着するので、ガラス板６０が所定位置に固定され、覗き窓４０ａを有する一枚の覗き窓プレート４０が構成される。
【００４６】
以上説明したように、本実施形態のビルトインコンロ１は、グリル庫１２に形成された覗き用開口３０ａを塞ぐための覗き窓プレート４０をフラットに形成するため、外枠４１，４２の各覗き穴４５のコーナ部４５ａに、ガラス板６０を押さえる従来のような押さえ片を設けず、コーナ部４５ａ以外のストレートな部分にだけ押さえ片４７を設けた点に特徴を有する。例えば、反り形状を有する外枠４１，４２を使用した場合、各覗き穴４５の４つのコーナ部４５ａにおいて、ガラス板６０の面には、外枠４１，４２の何れの部分も当接しない。一方、各覗き穴４５のコーナ部４５ａ以外のストレート部分に設けられた４枚の押さえ片４７は、ガラス板６０の平面に当接して圧接される。すると、押さえ片４７に相対する外枠４１，４２のストレート部分の外側端部がフラットに変形する。これにより、外枠４１，４２全体の反り形状が矯正され、覗き窓プレート４０全体をフラットに形成することができる。したがって、枠体下部３２の開口に、フラットな覗き窓プレート４０を密着させ、面接触で確実に塞ぐことによって、グリル庫１２の覗き用開口３０ａを塞ぐことができるので、グリル庫１２内の燃焼排気が外部に漏れるのを防止でき、グリル庫１２内の温度を安定して保持することができる。
【００４７】
また、覗き窓プレート４０は、図２に示すように、ビルトインコンロ１の正面中央に設けられたプレート用開口６１から引き出すことができるので、覗き窓４０ａに付着した脂汚れ等を洗い落とすことができる。これにより、グリル庫１２内を常に視界良好に確認することができる。
【００４８】
なお、本発明は、上記実施形態に限定されることなく、様々な変形が可能であることは言うまでもない。例えば、上記実施形態では、覗き窓プレート４０の組み立て方法において、外枠４１，４２を加締めて、リベット７０で固定したが、固定方法は加締めに限定されず、例えば、ネジ等で締め付けて固定してもよい。
【００４９】
また、外枠４１，４２における４枚の押さえ片４７の形成方法については、例えば、覗き穴４５の内周縁部に設けられた内周片４６の先端部に平面視略リング状の押さえ片４７を予めプレス成形しておき、４つのコーナ部４５ａに相対する部分を後で切断して取り除いてもよい。
【産業上の利用可能性】
【００５０】
本発明のビルトインコンロは、グリルを備えたビルトインコンロに適用可能である。
【図面の簡単な説明】
【００５１】
【図１】ビルトインコンロ１の全体斜視図（覗き窓プレート４０を装着した状態）である。
【図２】ビルトインコンロ１の全体斜視図（覗き窓プレート４０を引き出した状態）である。
【図３】ビルトインコンロ１の側面から見た断面図（シャッター７１閉状態）である。
【図４】ビルトインコンロ１の側面から見た断面図（シャッター７１開状態）である。
【図５】ビルトインコンロ１の正面から見た断面図である。
【図６】覗き窓組立３４の分解斜視図である。
【図７】覗き窓プレート４０の斜視図である。
【図８】覗き窓プレート４０の平面図である。
【図９】図８に示すＡ−Ａ線矢視方向断面図である。
【図１０】覗き窓プレート４０の分解斜視図（取っ手４３は省略）である。
【図１１】従来の覗き窓プレート４００の斜視図である。
【符号の説明】
【００５２】
１    ビルトインコンロ
１０    トッププレート
１２    グリル庫
２０    グリルバーナ
３０ａ  覗き用開口
４０    覗き窓プレート
４１    外枠
４２    外枠
４５    覗き穴
４５ａ  コーナ部
４６    内周片
４７    押さえ片
６０    ガラス板
９０    非印刷領域
１００    印刷
Ｆ    被調理物
【図１】
2007113853.tif 000003
【図２】
2007113853.tif 000004
【図３】
2007113853.tif 000005
【図４】
2007113853.tif 000006
【図５】
2007113853.tif 000007
【図６】
2007113853.tif 000008
【図７】
2007113853.tif 000009
【図８】
2007113853.tif 000010
【図９】
2007113853.tif 000011
【図１０】
2007113853.tif 000012
【図１１】
2007113853.tif 000013